(57)【特許請求の範囲】
【請求項１】
遊戯形態と展示形態とに変化可能なコマ玩具であって、
球欠形状を成す本体部と、
前記本体部から突出して設けられている軸部と、
前記本体部の内部に設けられている重り部と、を備え、
前記本体部には、前記軸部の突出側とは反対側に開口部が形成されている、
コマ玩具。
【請求項２】
請求項１に記載のコマ玩具であって、
前記本体部の内部には、空間が形成されている、
コマ玩具。
【請求項３】
請求項２に記載のコマ玩具であって、
前記重り部は、前記空間が形成されている前記本体部の内壁面に隣接して設けられている、
コマ玩具。
【請求項４】
請求項３に記載のコマ玩具であって、
前記重り部は、平板形状に構成された第一重り部を含み、前記軸部と前記開口部との間に設けられている、
コマ玩具。
【請求項５】
請求項４に記載のコマ玩具であって、
前記第一重り部は、前記内壁面に隣接する一方面と、前記内壁面とは隣接しない他方面とを含み、
前記一方面と前記他方面とは、曲率が異なる曲面で構成されている、
コマ玩具。
【請求項６】
請求項５に記載のコマ玩具であって、
前記第一重り部において、前記内壁面とは隣接しない前記他方面にリブが設けられている、
コマ玩具。
【請求項７】
請求項２〜６のいずれか一項に記載のコマ玩具であって、
前記重り部は、前記本体部に対し着脱可能に構成されている、
コマ玩具。
【請求項８】
請求項２〜７のいずれか一項に記載のコマ玩具であって、
前記本体部は、第１外殻体と第２外殻体から構成され、
前記重り部は、重心が前記第１外殻体、及び第２外殻体の何れか側に偏心して設けられている、
コマ玩具。
【請求項９】
請求項８に記載のコマ玩具であって、
前記第１外殻体、及び前記第２外殻体は、複数の連結部を介して互いに連結可能に構成され、
前記重り部は、前記第１外殻体又は前記第２外殻体の内壁面への隣接状態で、前記連結部の隣合うもの同士の間に位置するように設けられている、
コマ玩具。
【請求項１０】
請求項８又は９に記載のコマ玩具であって、
前記第１外殻体には、第１切欠きが形成され、前記第２外殻体には、第２切欠きが形成され、
前記第１外殻体と前記第２外殻体との連結状態において、前記第１切欠き、及び前記第２切欠きにより前記開口部が形成されている、
コマ玩具。
【請求項１１】
請求項２〜１０のいずれか一項に記載のコマ玩具であって、
前記重り部は、平板形状に構成された第一重り部と、前記第一重り部の一端部に設けられた筒状の第二重り部と、を含んでいる、
コマ玩具。
【請求項１２】
請求項１１に記載のコマ玩具であって、
前記第二重り部は、有底筒状に構成されている、
コマ玩具。
【請求項１３】
請求項１２に記載のコマ玩具であって、
前記第二重り部は、他の前記コマ玩具の軸部を挿入可能に構成されている、
コマ玩具。
【請求項１４】
請求項１２又は１３に記載のコマ玩具であって、
前記本体部は、第１外殻体と第２外殻体とを含み、
前記第二重り部の内周部と前記本体部の前記開口部は、前記第１外殻体と前記第２外殻体との連結状態において連通している、
コマ玩具。
【請求項１５】
請求項１１〜１４のいずれか一項に記載のコマ玩具であって、
前記軸部は、円柱状に形成され、
前記軸部の外径は、前記第二重り部の内径より小さい、
コマ玩具。
【請求項１６】
請求項１〜１５のいずれか一項に記載のコマ玩具であって、
前記軸部は、少なくとも先端部の角が丸みを帯びた形状に形成されている、
コマ玩具。
【請求項１７】
請求項１〜１６のいずれか一項に記載のコマ玩具であって、
前記軸部は、前記軸部を中心に大径に広がるつば部を更に備え、
前記つば部には、外周縁部から中心部に向う窪みが形成されている、
コマ玩具。
【請求項１８】
請求項１７に記載のコマ玩具であって、
前記本体部は、第１外殻体と第２外殻体とを含み、
前記第１外殻体には、第３切欠きが形成され、前記第２外殻体には、第４切欠きが形成され、
前記第１外殻体と前記第２外殻体との連結状態において、前記第３切欠き、及び前記第４切欠きにより形成される穴は、前記つば部により閉塞されている、
コマ玩具。
【請求項１９】
請求項１７又は１８に記載のコマ玩具であって、
前記つば部には、前記本体部の内方に向かって凹む凹部が形成されている、
コマ玩具。
【請求項２０】
請求項１〜１９のいずれか一項に記載のコマ玩具であって、
前記軸部を他の前記コマ玩具の前記開口部に挿入して複数の前記コマ玩具が連結可能に構成されている、
コマ玩具。
【請求項２１】
請求項１〜２０のいずれか一項に記載のコマ玩具であって、
前記軸部を挿入可能な台座部を備え、
前記展示形態は、前記軸部が前記台座部に挿入された状態である、
コマ玩具。
【請求項２２】
請求項１〜２１のいずれか一項に記載のコマ玩具であって、
成形樹脂により前記本体部の外表面が略球状に構成されている、
コマ玩具。
【請求項２３】
請求項１〜２２のいずれか一項に記載のコマ玩具であって、
前記コマ玩具を、前記軸部と前記本体部とが載置面に接する状態で載置したときに、前記軸部の中心軸線が、前記載置面に対して略４５度の角度になるように設定されている、
コマ玩具。
【発明の詳細な説明】
【技術分野】
【０００１】
本発明は、コマ玩具に関する。
【背景技術】
【０００２】
従来、立ち上がりコマとして、例えば特許文献１のものが知られている。ここに開示された立ち上がりコマは、球形状の本体の上半体部を切欠して中心に向けて凹陥面を設け、この凹陥面に中心に孔を設け、この孔に軸を立設し、本体の外周面を着色すべくなした構成である。
【先行技術文献】
【特許文献】
【０００３】
【特許文献１】実開昭５６−６８５８３号公報
【発明の概要】
【発明が解決しようとする課題】
【０００４】
特許文献１においては、立ち上がりコマとして平凡なものであり、それ以上の興趣性を求めるべくもない構造であった。
【０００５】
本発明は、興趣性の高いコマ玩具を提供することを目的とする。
【課題を解決するための手段】
【０００６】
本発明に係るコマ玩具は、
遊戯形態と展示形態とに変化可能なコマ玩具であって、
球欠形状を成す本体部と、
前記本体部から突出して設けられている軸部と、
前記本体部の内部に設けられている重り部と、を備え、
前記本体部には、前記軸部の突出側とは反対側に開口部が形成されている。
【発明の効果】
【０００７】
本発明によれば、興趣性の高いコマ玩具を提供することができる。
【図面の簡単な説明】
【０００８】
【図１】本発明の一実施形態であるコマ玩具を軸部側から見た外観を示す斜視図である。
【図２】図１に示すコマ玩具を先端側から見た斜視図である。
【図３】図１に示すコマ玩具の分解斜視図である。
【図４】図３に示す本体部の第１外殻体の内部を示す拡大斜視図である。
【図５】図３に示す本体部の第２外殻体の内部を示す拡大斜視図である。
【図６】図３に示す重り部の外側面側から見た斜視図である。
【図７】図３に示す重り部の内側面側から見た斜視図である。
【図８】図３に示す軸部の断面斜視図である。
【図９】図２のＡ−Ａ線に沿った部分の断面斜視図である。
【図１０】図２のＢ−Ｂ線に沿った部分の断面図である
【図１１】コマ玩具と台座部を示す斜視図であって、（ａ）は、コマ玩具を台座部に差込む前の状態を示す斜視図であり、（ｂ）は、コマ玩具の展示状態の一例を示す斜視図である。
【図１２】図１１（ｂ）のＣ−Ｃ線に沿った部分の断面図である。
【図１３】コマ玩具を載置面上に置いたときの状態を示す側面図である。
【図１４】コマ玩具の動作を示すための概略側面図である。
【図１５】コマ玩具の展示状態の他の例を示す正面図である。
【発明を実施するための形態】
【０００９】
以下、本発明の一実施形態であるコマ玩具について、図１〜図１５を参照して説明する。
図１は、本実施形態におけるコマ玩具の外観を示す斜視図である。図２は、コマ玩具を先端側から見た斜視図である。
【００１０】
図１及び図２に示すように、コマ玩具１は、球形の一部が欠けた所謂、球欠形状を成す本体部１０から、球形の欠けた部位から突出して設けられた軸部２０を有した形状となっている。そして、このコマ玩具１は、軸部２０を指先で摘まむようして回転を加えてコマとして遊ぶ。また、本体部１０は、第１外殻体１１と第２外殻体１２とにより球形部分が形成され、その内部は空間ＳＰ（図３参照）として形成されている。そして、本体部１０の内部には、重り部３０（図３参照）が設けられている。また、本体部１０には、軸部２０の突出側とは反対側に開口部１８が形成されている。
【００１１】
図３は、図１に示すコマ玩具１の分解斜視図である。
図３に示すように、本体部１０を形成する第１外殻体１１及び第２外殻体１２は、外表面１０ｕが略球状に形成される。要するに、両外殻体１１，１２の対面する開口縁１１ｅ，１２ｅをつき合わせるように組み立てることで球欠形状が構成される。第１外殻体１１には、第１切欠き１１ｋ及び第３切欠き１３ｋが形成されている。一方、第２外殻体１２には、第２切欠き１２ｋ及び第４切欠き１４ｋが形成されている。したがって、第１外殻体１１と第２外殻体１２との連結状態において、第１切欠き１１ｋ及び第２切欠き１２ｋにより開口部１８が形成される。また、第３切欠き１３ｋ及び第４切欠き１４ｋにより、軸部２０用の開口部である穴１６が形成される。また、空間ＳＰ内には、重り部３０が設けられる。更に、穴１６は、軸部２０のつば部２２により閉じられる。なお、これらの各構成部品は、合成樹脂により射出成型等によって成形される。
【００１２】
図４は、第１外殻体１１の内部を示す拡大斜視図である。
図４に示すように、第１外殻体１１は、内壁面１０ｉには、第２外殻体１２と連結する連結部１５ａ（１５）が、例えば４つ突設されている。連結部１５ａには、挿入穴１５ｈが設けられている。連結部１５ａの間の内壁面１０ｉには、略長方形の凹み段部１１ｄが設けられている。凹み段部１１ｄは、第１切欠き１１ｋ近傍から第３切欠き１３ｋ近傍の間に縦長に形成されている。凹み段部１１ｄは、重り部３０が装着される部位として形成されている。なお、第１切欠き１１ｋに近い側の２つの連結部１５ａには、当該連結部１５ａの延出方向に沿い且つ凹み段部１１ｄ内まで延びる位置決め壁１５ｄが設けられている。また、第３切欠き１３ｋには、縁部が空間ＳＰ側に向く側面を備える段差部１３ｄと段差部１３ｄに対面する切欠き内壁面１３ｅとで溝構造が形成されている。更に、第３切欠き１３ｋには、係合突起１３ｖが設けられている。なお、開口縁１１ｅは、その内側が凹んだ凹状縁部として構成されている。
【００１３】
図５は、第２外殻体１２の内部を示す拡大斜視図である。
図５に示すように、第２外殻体１２は、内壁面１０ｉには、第１外殻体１１と連結する連結部１５ｂ（１５）が４つ突設されている。連結部１５ｂは、第１外殻体１１側の挿入穴１５ｈ内に嵌入可能な径（断面径のサイズ）に形成されている。第２切欠き１２ｋの近傍には、重り部３０の位置決め部位として用いられる位置決め突起１２ｒが設けられている。第４切欠き１４ｋには、第３切欠き１３ｋと同様に、縁部が空間ＳＰ側に向く側面を備える段差部１４ｄと段差部１４ｄに対面する切欠き内壁面１４ｅとで溝構造が形成されている。更に、第４切欠き１４ｋには、係合突起１４ｖが設けられている。また、開口縁１２ｅは、開口縁１１ｅに嵌合する凸状縁部として構成されている。
【００１４】
図６は、重り部３０を外側面側から見た斜視図である。図７は、重り部３０を内側面側から見た斜視図である。
図６及び図７に示すように、重り部３０は、平板形状に構成された第一重り部３１と、第一重り部３１の一端部に設けられた筒状の第二重り部３２と、を有する。第一重り部３１は、外殻体の内壁面１０ｉに沿う湾曲した平板形状となっている。要するに、第一重り部３１は、内壁面１０ｉに隣接する一方面である外側面３１ｕと、内壁面１０ｉとは隣接しない他方面である内側面３１ｉとは、内側面３１ｉの曲率が大きい曲面で構成されている。また、外側面３１ｕには、外側面３１ｕの外縁部分よりも少し肉厚な嵌合凸部３１ｄが突設されている。一方、内側面３１ｉには、重り部３０の長手方向に沿う第一リブ３５と、短手方向に沿う２つの第二リブ３６と、が設けられている。これらの第一リブ３５及び第二リブ３６並びに嵌合凸部３１ｄは、重り部３０の重量調整を可能にする構造といえる。また、長手方向の両端縁には、第１外殻体１１に重り部３０を装着するときに利用する嵌合切欠き３１ｋが形成されている。
【００１５】
第二重り部３２は、第一重り部３１の一端側（図中上側）から他端側に向けて延出された有底筒状の構造である。第二重り部３２は、その開口側３２ａが第一重り部３１に接続されており、底部側３２ｂが空間ＳＰ内に突出するように装着される。第二重り部３２の開口側３２ａの内径（Ｄ２）は、軸部２０の軸外径(Ｄ１)よりも若干大きく構成されている（図８参照）。要するに、第二重り部３２は、他のコマ玩具の軸部２０を挿入可能な大きさに構成されている。
【００１６】
図８は、軸部２０の断面斜視図である。
図８に示すように、軸部２０は、回転中心となる軸本体２１が円柱状に形成されており、コマ玩具１の回転支軸として構成されている。また、軸本体２１は、その外径（Ｄ１）が前掲のごとく第二重り部３２の開口側３２ａの内径（Ｄ２）より若干小さく構成されている。要するに、軸本体２１は、他のコマ玩具１の開口部１８に挿入することが可能である。このことは、例えば、軸本体２１を他のコマ玩具１の開口部１８に挿入して連結することができる。また、軸部２０は、軸本体２１の先端面２１ｓの少なくとも外周縁である角２１ｅが丸みを帯びた形状に形成されている。
【００１７】
軸部２０は、その一端に軸部２０を中心に大径に広がる円形のつば部２２を備えている。つば部２２は、外周縁部２２ｅから中心部に向かって本体部１０内方に凹む窪み２２ｄが形成されている。外周縁部２２ｅには、１８０度反対の位置に２つの係合切欠き２２ｃが設けられている。また、一方側の係合切欠き２２ｃに接近してリブ係合部２２ｍが突設されている。なお、外周縁部２２ｅは、軸部突出側が小径となる段差構造を有している。また、つば部２２には、本体部１０の空間側に向かって凹む凹部２２ｄｇ（図１０参照）が、例えば２つ設けられている。
【００１８】
前掲のように構成されたコマ玩具１の各構成部品を組み立てについて説明する。
第１外殻体１１と第２外殻体１２とを組み合わせるときに、軸部２０及び重り部３０を組み込む。先ず、第１外殻体１１の内側に重り部３０を装着する。このとき、重り部３０の嵌合切欠き３１ｋを位置決め壁１５ｄに嵌め合わせるようにして装着する。そして、嵌合凸部３１ｄを凹み段部１１ｄに嵌めるようにセットする。この状態で、重り部３０は、第１外殻体１１内に仮保持された状態となる。第１外殻体１１に対して第２外殻体１２を嵌め合わせるときは、軸部２０のつば部２２は、第３切欠き１３ｋと第４切欠き１４ｋとの間に挟まれるようにセットされる。このとき、係合切欠き２２ｃと係合突起１３ｖ，１４ｖとを嵌め合わせる。更に、リブ係合部２２ｍと重り部３０の第一リブ３５の下端部３５ｄとを嵌め合わせる。なお、軸部２０は、つば部２２が第１外殻体１１の第３切欠き１３ｋの溝構造によって、第１外殻体１１に仮保持された状態にできる。
【００１９】
以上の状態で、第１外殻体１１に対して第２外殻体１２を嵌め合わせる。この嵌め合わせに際して、重り部３０は、第二重り部３２が位置決め突起１２ｒによって押され、第一重り部３１が第１外殻体１１の内壁面１０ｉに押し付けられ、外側面３１ｕが内壁面１０ｉに接した状態で固定・保持される。また、第１外殻体１１と第２外殻体１２との嵌め合わせは、開口縁１１ｅと開口縁１２ｅとの凹凸嵌合により確りと嵌合する。
【００２０】
このようにして組み立てられたコマ玩具１は、特に、接着剤等を用いて固定する必要はない。したがって、重り部３０は、本体部１０に対し着脱可能であることから、例えば、第二リブ３６の数が異なる重り部３０を装着し直して組み立て直すことも容易である。また、重り部３０は、第１外殻体１１側に偏心して設けられていることから、後述するように、逆立ちコマ玩具１として遊ぶときに、逆立ちし易くできる。
【００２１】
図９は、図２のＡ−Ａ線に沿った部分の断面斜視図である。
図９に示すように、コマ玩具１が組み立てられた状態では、重り部３０は、その長手方向においては、位置決め突起１２ｒとリブ係合部２２ｍとの間に挟まれ、軸部２０と開口部１８との間に固定されている。そして、第二重り部３２の開口を構成する内周部３２ｗと開口部１８は連通する。このように重り部３０が組み込まれた状態では、開口部１８の空間側の内側縁１８ｅは、開口側３２ａの筒部上端面３２ｅに密着している。すなわち、開口部１８は、すき間無く閉じられている。一方、穴１６は、つば部２２の外周縁部２２ｅと穴１６との組み合わせ段差構造によりすき間無く確りと閉じられている。
【００２２】
図１０は、図２のＢ−Ｂ線に沿った部分の断面図である。
図１０に示すように、コマ玩具１が組み立てられた状態では、重り部３０は、その幅方向（短手方向）においては、連結部１５の間で位置決め壁１５ｄ間に挟まれて、位置規制され固定されている。また、つば部２２には、前掲のごとく凹部２２ｄｇが設けられている。この凹部２２ｄｇは、例えば、治具等が進入することができ、組み立て時において軸部２０を保持する部位として利用できる。また、コマ玩具１が組み立てられた状態において、例えば、凹部２２ｄｇに治具を挿入することで、外表面１０ｕに触れることなくコマ玩具１を確実に保持することができる。したがって、外表面１０ｕに図柄や加工を施す作業がしやすくなる。
【００２３】
図１１（ａ）は、コマ玩具１を台座部５０に差込む前の状態を示す斜視図である。図１１（ｂ）は、コマ玩具１の展示状態の一例を示す斜視図である。
図１１（ａ）に示すように、台座部５は、コマ玩具１を保持可能な構成と有している。すなわち、台座部５０は、側面視で台形の円筒部材であり、上端面５０ｕには、軸部２０を挿入可能な台座開口５０ｈを備えている。要するに、台座開口５０ｈの開口内径（Ｄ３）は、軸部２０の外径（Ｄ１）を挿入可能な大きさに設定されている。したがって、図１１（ｂ）に示すように、コマ玩具１は、台座部５０に挿入された状態で、載置面６０上に安定して載置でき展示することができる。
【００２４】
図１２は、図１１（ｂ）のＣ−Ｃ線に沿った部分の断面図である。
図１２に示すように、台座部５０の上端面５０ｕは、軸部２０のつば部２２の形状に対応する形状を有している。すなわち、端面外周縁（外側）に向かって高さを低くする傾斜の第一傾斜部５１ｕを備えている。したがって、第一傾斜部５１ｕは、コマ玩具１のつば部２２の窪みの傾斜に倣うように傾斜している。これにより、軸部２０が台座部５０に挿入された状態においては、台座部５０の上端面５０ｕが窪み２２ｄに入り込むよう接触して、コマ玩具１を確実に保持する。また、上端面５０ｕには、台座開口５０ｈの内方に向かって傾斜（高さを低く）する第二傾斜部５２ｕが設けられている。この第二傾斜部５２ｕは、軸部２０を台座開口５０ｈに挿入するとき挿入しやすいように、誘い込みの傾斜として機能する。
【００２５】
図１３は、コマ玩具１を載置面６０上に置いたときの状態を示す側面図である。
図１３に示すように、コマ玩具１を、軸部２０と本体部１０とが載置面６０に接する状態で載置したときに、軸部２０の中心軸線ＣＬが、載置面６０に対する傾斜角度θが略４５度の角度になるように設定されている。これは、本体部１０のサイズ（外径）、軸部２０の突出長さ、軸部２０の径等によって決定される。例えば、本体部１０の外径が小さいとき、或いは軸部２０の突出量が大きいときは、傾斜角度θが４５度よりも小さくなる。この場合、コマ玩具１を回した際に、軸部２０を下にして回転する逆立ちし難くなる。一方、例えば、本体部１０の外径が大きいとき、或いは軸部２０の突出量が小さいときは、傾斜角度θが４５度よりも大きくなる。この場合、コマ玩具１を回した際に、軸部２０を下にして回転する逆立ちし易くなる。しかし、軸部２０の長さと全体的なサイズ感からコマらしさなくなり、コマ玩具１として面白味が低下する。
【００２６】
以下、コマ玩具１で遊ぶ時について、図１、図２及び図１４を参照して説明する。
図１４は、コマ玩具１の動作を示すための概略側面図である。
先ず、コマ玩具１を回すときは、図１に示すように、指先にて軸部２０を摘まんで、載置面６０上若しくは載置面６０から少し離して回す。この回し操作のとき、軸部２０の周りのつば部２２が凹んだ窪み２２ｄを有していることで、摘まみ易く回しやすい。コマ玩具１は、重心が重り部３０によって偏心しているので、コマ玩具１が回り始めると、直ぐに、図２に示すように、軸部２０を外側にして旋回するように回転する。
【００２７】
その後、図１４に示すように、コマ玩具１は立ち上がり始める。詳細には、例えば、図２に示す如く、軸本体２１を最外周として旋回している状態から、旋回（矢印ＬＦ）した状態で軸本体２１の先端面２１ｓが載置面６０に接する。そして、更にコマ玩具１は、旋回しながら、その中心軸線ＣＬを垂直にする方向（矢印ＳＦ）の力が作用し立ち上がって行く。ここで、コマ玩具１が旋回（矢印ＬＦ）しながら先端面２１ｓが載置面６０に接触するときは、先端面２１ｓの角２１ｅが接する。この角２１ｅは円弧状に面取りされておち、これによって、角２１ｅが接した後の立ち上がりが円滑に行われて、中心軸線ＣＬが垂直線ＶＬと一致した状態で回転する。
【００２８】
図１５は、コマ玩具１の展示状態の他の例を示す正面図である。
コマ玩具１は、前掲のように台座部５０に挿入して、展示状態とすることができる。図１５に示す場合は、複数のコマ玩具１が重ねられた状態を示す。この場合、コマ玩具１の開口部１８に他の軸部２０の軸本体２１を差し込むことで、多数のコマ玩具１を縦に重ねて展示することができる。なお、コマ玩具１の窪み２２ｄの曲率は、外表面１０ｕの曲率と略同じに構成されているので、コマ玩具１同士を連結した状態では、外表面１０ｕと窪み２２ｄとが面接触するように接するので、多数のコマ玩具１を重ねても安定して保持することができる。また、コマ玩具１は、その外表面１０ｕには、適宜配色された図柄Ｃや、キャラクターＡ，Ｂを模した絵が描かれている。これにより、展示物として楽しむことができる。また、コマ玩具１として回して遊ぶときは、図柄ＣやキャラクターＡ，Ｂが横線となって綺麗な模様を演出する。
【００２９】
以上述べたように、本実施形態のコマ玩具１によれば、コマ玩具１は、その構成要素が部品構成となっているので、組立て部品の変更が容易で玩具形態を多様化し易く、玩具として興趣性を高めることができる。また、重り部３０は、組み込み部品として構成されるので、重り部３０によって重心位置を自在に変えることができる。この結果、コマ玩具１の回転性能を変えることが容易にでき、例えば、コマ玩具１の外表面１０ｕに描く図画やキャラクターに合わせて回転性能を演出が可能であり、その興趣性は格段に向上する。さらに、軸部２０とは反対側に開口部１８が設けられていることで、開口部１８を利用して、他の物品の連結を可能にする。また、コマ玩具１は、組立てが容易であることから、組立て式のコマ玩具１として提供することができ、その組立てをも楽しむことができ興趣性は極めて高い。
【００３０】
また、本実施形態のコマ玩具１では、本体部１０の内部は空間ＳＰとして形成されているので、重り部３０を配置する位置を選ぶことができる。この結果、コマ玩具１の重心位置を変えることが容易にでき、コマ玩具１の回転性能等の特性を変えることができる。
【００３１】
本実施形態のコマ玩具１では、重り部３０は、本体部１０の外表面１０ｕに隣接して設けられているので、重り部３０を回転半径の外周寄りに配置でき、偏心を大きくすることができる。
【００３２】
また、本実施形態のコマ玩具で１は、重り部３０は平板形状に構成されているので、本体部１０の内部空間の内壁面１０ｉに設置し易い。また、重り部３０を開口部１８と軸部２０との間に設けることで、コマの重心を軸部２０の位置に対して設定しやすく、例えば、重心を軸部２０とは反対寄り（先端寄り）にすることができる。
【００３３】
また、本実施形態のコマ玩具１では、重り部３０は、空間ＳＰを形成する内壁面１０ｉに隣接する第一重り部３１の外側面３１ｕが曲面にて構成されることで、内壁面１０ｉの曲率に合わせて内壁面１０ｉに接するようにして確実に保持できる。一方、第一重り部３１の内側面３１ｉの曲率を外側面３１ｕの曲率に対して変えることで、例えば第一重り部３１の厚みを全長にわたって略同じの板状の構成、或いは、板厚を部位によって変えることで重心位置を変える構成とすることができる。
【００３４】
本実施形態のコマ玩具１では、第一重り部３１において、本体部１０の内壁面１０ｉに接触しない内側面３１ｉに、リブ（第一リブ３５，第二リブ３６）を設けることで、重り部３０の重さを変えることができる。また、リブを設ける位置によってコマ玩具１の重心の位置を変えることができる。さらに、リブの数の増減によって重さ調整や重心位置の変更が容易にできる。
【００３５】
また、本実施形態のコマ玩具１では、重り部３０は、本体部１０に対し着脱可能に構成されているので、異なる重り部３０の装着ができる。この結果、重さや重心位置の異なる複数の重り部３０を選択できるコマ玩具１を提供できる。
【００３６】
本実施形態のコマ玩具１では、重り部３０は、本体部１０を構成する第１外殻体１１及び第２外殻体１２の何れかに設けられるので、重り部３０をコマ玩具１の片側に偏心して設けることができる。また、組立てに際して、重り部３０を片方の外殻体に設けて組み立てることが出るので、コマ玩具１の組み立て性を良くすることができる。
【００３７】
また、本実施形態のコマ玩具１においては、重り部３０は、第１外殻体１１と第２外殻体１２とを連結する連結部１５間に位置するように設けられているので、連結部１５によって重り部３０の位置決めができ、重り部３０の設置が容易である共に保持が容易である。
【００３８】
また、本実施形態のコマ玩具１においては、本体部１０の開口部１８は、組み合わせられる２つの外殻体（第１外殻体１１、第２外殻体１２）の切欠き（第１切欠き１１ｋ、第２切欠き１２ｋ）にて形成されるので、開口部１８を形成するときに、開口部１８及び開口部１８近傍に他の部材、例えば第二重り部３２を挟持するように設けることができる。
【００３９】
本実施形態のコマ玩具１においては、重り部３０は、平板形状の第一重り部３１と筒状の第二重り部３２とを有するので、内壁面１０ｉに第一重り部３１を接するように配置し、開口部１８に第二重り部３２を設置することができる。また、第一重り部３１と筒状の第二重り部３２は連続した一体構造であるので、組み込み部品点数を少なくできる。
【００４０】
本実施形態のコマ玩具１は、開口部１８と連通される第二重り部３２により開口部１８が塞がれるので、本体部１０の内部へのゴミ等に侵入を防止することができ、コマ玩具１の重心変動等を回避することができる。
【００４１】
本実施形態のコマ玩具１においては、第１外殻体１１と第２外殻体１２との連結状態において、第二重り部３２は、その開口側３２ａが開口部１８に対応し第二重り部３２の内周部３２ｗが開口部１８に連通するので、重り部３０の設置と同時に本体部１０にその内方まで深く凹んだ構成を設けることができる。また、軸部２０の外径（Ｄ１）は、開口部１８（第二重り部３２の内周部３２ｗ）の内径（Ｄ２）より小さく構成することで、開口部１８に他のコマ玩具１の軸部２０を挿入可能である。この結果、コマ玩具１は軸部２０を他のコマ玩具１の開口部１８に挿入することができ、複数個のコマ玩具を連結して遊ぶことができる。
【００４２】
本実施形態のコマ玩具１は、軸本体２１の角２１ｅが丸みを帯びた形状に形成されているので、軸部２０を回転支点して逆立ちし易くすることができる。また、本実施形態のコマ玩具１は、軸部２０と本体部１０とが載置面６０に接する状態で載置されたときに、軸部２０の中心軸線ＣＬが、載置面６０に対して略４５度の角度になるように設定されていることで、軸部２０を回転支点にした逆立ちの起き上がりが容易になる。さらに、例えば、前記略４５度の角度になるように軸部２０の突出長さが設定されていることで、コマ玩具１としての外観的なコマらしさを維持することができる。
【００４３】
本実施形態のコマ玩具１の軸部２０には、軸本体２１から大径に広がるつば部２２が設けられていることで、第１外殻体１１と第２外殻体１２とで形成され穴１６につば部２２を嵌めるように取り付けることができるので、軸部２０の組み込み性を良くできる。また、つば部２２は、軸本体２１に向かって窪み２２ｄが形成されているので、軸本体２１を摘まみ易くできる。
【００４４】
また、本実施形態のコマ玩具１のつば部２２には、本体部１０の内方に向かって凹む凹部２２ｄｇが設けられているので、凹部２２ｄｇを利用して、例えば治具等により外表面１０ｕに接触することなくコマ玩具１を保持することができる。この結果、コマ玩具１の外表面１０ｕに模様や図柄を描くと等の加工を施す際に、加工しやすい状態で保持することが可能になる。
【００４５】
本実施形態のコマ玩具１においては、コマ玩具１の軸部２０を挿入した状態で載置する展示形態とする台座部５０を備えるので、コマ玩具１を展示物として楽しむことができる。
【００４６】
本実施形態のコマ玩具１は、成形樹脂にて構成されるので、複数の部品の組み合わせにて形成することが容易であり、成形性がよく生産性に優れている。
【００４７】
以上、本発明の一実施形態について説明したが、本発明はその技術思想の範囲で適宜変更することができる。例えば、上記実施形態においては、第一重り部３１を板状にし、第一リブ３５，第二リブ３６を設けて重さ並びに重心位置を変更できるようにしたが、重り部３０の重さを変える構成としては、第一重り部３１の板厚み自体を変えるように構成しても良い。また、上記実施形態における重り部３０は、第１外殻体１１側に設けるようにしたが、第２外殻体１２側に設ける構成であってもよい。
【００４８】
また、上記実施形態の軸部２０においては、軸本体２１の２１ｅを丸くする構成としたがこれに限るものではなく、例えば、軸本体２１の先端面２１ｓを全体的に丸くする構成であってもよい。
【符号の説明】
【００４９】
１        コマ玩具
１０      本体部
１０ｉ    内壁面
１０ｕ    外表面
１１      第１外殻体
１１ｋ    第１切欠き
１２      第２外殻体
１２ｋ    第２切欠き
１３ｋ    第３切欠き
１４ｋ    第４切欠き
１５      連結部
１６      穴
１８      開口部
２０      軸部
２１      軸本体
２１ｅ    角
２２      つば部
２２ｄ    窪み
２２ｅ    外周縁部
３０      重り部
３１      第一重り部
３１ｉ    内側面（他方面）
３１ｕ    外側面（一方面）
３２      第二重り部
３５      第一リブ
３６      第二リブ
５０      台座部
６０      載置面
ＣＬ      中心軸線
【要約】
【課題】興趣性の高いコマ玩具を提供する。
【解決手段】遊戯形態と展示形態とに変化可能なコマ玩具であって、球欠形状を成す本体部１０と、本体部１０から突出して設けられている軸部２０と、本体部１０の内部に設けられている重り部３０と、を備え、本体部１０には、軸部２０の突出側とは反対側に開口部１８が形成されているコマ玩具１。コマ玩具１は、構成要素が部品構成であり、組立て部品の変更が容易で玩具形態を多様化し易く、玩具として興趣性を高めることができる。また、重り部３０が組み込み部品として構成されるので、重り部３０によって重心位置を自在に変えることができ、コマ玩具１の回転性能を変えることができ、コマ玩具１の外表面１０ｕに描く図画やキャラクターに対応する回転性能を演出が可能であり、興趣性を高めることができる。さらに、軸部２０とは反対側に設けられた開口部１８を利用して、他の物品の連結を可能にする。
【選択図】図３【図１】
0006914414.tif 000002
【図２】
0006914414.tif 000003
【図３】
0006914414.tif 000004
【図４】
0006914414.tif 000005
【図５】
0006914414.tif 000006
【図６】
0006914414.tif 000007
【図７】
0006914414.tif 000008
【図８】
0006914414.tif 000009
【図９】
0006914414.tif 000010
【図１０】
0006914414.tif 000011
【図１１】
0006914414.tif 000012
【図１２】
0006914414.tif 000013
【図１３】
0006914414.tif 000014
【図１４】
0006914414.tif 000015
【図１５】
0006914414.tif 000016